(57)【要約】【課題】  データ通信システム及びデータ受信装置において、高周波側で生じる感度抑圧を低減すると共に、家電製品等のノイズの干渉も削減すること。【解決手段】  複数のチャネルにデータを配置して電力線を介して送信するデータ送信装置と電力線を介してデータ送信装置から送信されたデータを受信するデータ受信装置３との間で電力線通信を行うデータ通信システムであって、データ受信装置３が、電力線通信の通信周波数帯域内に遮断周波数を有するハイパスフィルタＨＰＦを備え、ハイパスフィルタＨＰＦを介してデータを受信する。【選択図】      図２
2007235419.tif 000002
【特許請求の範囲】
【請求項１】
複数のチャネルにデータを配置して電力線を介して送信するデータ送信装置と電力線を介して前記データ送信装置から送信されたデータを受信するデータ受信装置との間で電力線通信を行うデータ通信システムであって、
前記データ受信装置が、前記電力線通信の通信周波数帯域内に遮断周波数を有するハイパスフィルタを備え、前記ハイパスフィルタを介してデータを受信することを特徴とするデータ通信システム。
【請求項２】
請求項１に記載のデータ通信システムにおいて、
前記遮断周波数が、５ＭＨｚ±１ＭＨｚの範囲内に設定されていることを特徴とするデータ通信システム。
【請求項３】
データ送信装置から複数のチャネルに配置されたデータを電力線通信により受信するデータ受信装置であって、
前記電力線通信の通信周波数帯域内に遮断周波数を有するハイパスフィルタを備え、前記ハイパスフィルタを介してデータを受信することを特徴とするデータ受信装置。
【請求項４】
請求項３に記載のデータ受信装置において、
前記遮断周波数が、５ＭＨｚ±１ＭＨｚの範囲内に設定されていることを特徴とするデータ受信装置。
【発明の詳細な説明】
【技術分野】
【０００１】
本発明は、電力線を介してデータ通信を行うデータ通信システム及びデータ受信装置に関する。
【背景技術】
【０００２】
近年、家屋等の建物内や車両内に配線されている電力線を介して電子機器（家電製品等）間のデータ通信を行うことが検討されている。例えば、一般家屋に設置されるオーディオ機器等の電子機器間で、家屋内の電力線を用いてオーディオ信号や画像信号等のデータ通信を良好に行うことが研究されている。
【０００３】
このような電力線通信技術として、従来、例えば特許文献１には、マルチキャリア変復調方式によりデータ通信を行うマルチキャリア通信装置が提案されている。
この特許文献１に記載された技術では、通信に使用する周波数の一部に、通信品質を劣化させる原因となるノッチが存在する場合に、使用するサブチャネルを選択して通信を行うことで、オーディオデータやビジュアルデータについての通信品質を向上させている。
【０００４】
【特許文献１】特開２０００−２１６７５２号公報
【発明の開示】
【発明が解決しようとする課題】
【０００５】
上記従来の技術には、以下の課題が残されている。
すなわち、電力線通信では、低周波の利得が大きく、低周波側のキャリアが大きな信号で受信される伝送路特性を有しているが、低周波側の信号が大きい場合、受信装置のアンプにおいて高周波側の信号を感度抑制してしまい、受信できない場合がある。特に、家電製品等では低周波帯域において大きなノイズが発生し易く、このノイズによって受信感度がさらに抑圧されて通信品質が劣化してしまう不都合があった。これらの結果、高周波側の通信品質が劣化してしまうと共に、家電製品等の電子機器によるノイズが低周波帯域に集中してしまう問題があった。
【０００６】
本発明は、前述の課題に鑑みてなされたもので、高周波側で生じる感度抑圧を低減すると共に、家電製品等によるノイズの干渉も削減することができるデータ通信システム及びデータ受信装置を提供することを目的とする。
【課題を解決するための手段】
【０００７】
本発明は、前記課題を解決するために以下の構成を採用した。すなわち、本発明のデータ通信システムは、複数のチャネルにデータを配置して電力線を介して送信するデータ送信装置と電力線を介して前記データ送信装置から送信されたデータを受信するデータ受信装置との間で電力線通信を行うデータ通信システムであって、前記データ受信装置が、前記電力線通信の通信周波数帯域内に遮断周波数を有するハイパスフィルタを備え、前記ハイパスフィルタを介してデータを受信することを特徴とする。
【０００８】
本発明のデータ受信装置は、データ送信装置から複数のチャネルに配置されたデータを電力線通信により受信するデータ受信装置であって、前記電力線通信の通信周波数帯域内に遮断周波数を有するハイパスフィルタを備え、前記ハイパスフィルタを介してデータを受信することを特徴とする。
【０００９】
これらのデータ通信システム及びデータ受信装置では、電力線通信の通信周波数帯域内に遮断周波数を有するハイパスフィルタを備え、ハイパスフィルタを介してデータを受信するので、遮断周波数以下の低周波側においてハイパスフィルタが信号レベルを減衰させ、利得の大きい低周波側のキャリアで信号レベルが抑制されると共に、より低周波で発生するノイズも抑制又はカットされる。これにより、高周波側で生じる感度抑圧が低減されると共に、家電製品等によるノイズの干渉が削減される。
【００１０】
また、本発明のデータ通信システムは、前記遮断周波数が、５ＭＨｚ±１ＭＨｚの範囲内に設定されていることを特徴とする。
また、本発明のデータ受信装置は、前記遮断周波数が、５ＭＨｚ±１ＭＨｚの範囲内（４〜６ＭＨｚ）に設定されていることを特徴とする。
【００１１】
これらのデータ通信システム及びデータ受信装置では、遮断周波数を５ＭＨｚ±１ＭＨｚの範囲内に設定することにより、家電製品等による低周波側のノイズを効果的に抑制し、特に大きなノイズが発生し易い４５０ｋＨｚ以下の帯域を完全に減衰させることで、さらに感度抑制の低減とノイズ干渉の削減を図ることができる。
【発明の効果】
【００１２】
本発明によれば、以下の効果を奏する。
すなわち、本発明に係るデータ通信システム及びデータ受信装置によれば、電力線通信の通信周波数帯域内に遮断周波数を有するハイパスフィルタを備え、ハイパスフィルタを介してデータを受信するので、高周波側で生じる感度抑圧を低減させることができると共に、家電製品等によるノイズの干渉を削減することができる。
【発明を実施するための最良の形態】
【００１３】
以下、本発明に係るデータ通信システム及びデータ受信装置の一実施形態を、図１から図１１を参照しながら説明する。
【００１４】
本実施形態のデータ通信システムは、図１及び図２に示すように、例えば一般家屋等に配線され複数の家電製品等の電子電気機器へ電力供給を行う電力線１を介して、通信周波数帯域内において異なる搬送周波数に設定された複数のチャネルにデータを配置して送信するデータ送信装置２と、電力線１を介してデータ送信装置２から送信されたデータを受信するデータ受信装置３と、の間で電力線通信を行うデータ通信システムである。
【００１５】
上記データ送信装置２は、電力線１に接続され、電力線１から電力の供給を受けると共に、電力線１を介してデータ受信装置３とデータの送受信を行う。
上記データ受信装置３は、電力線１に接続され、電力線１から電力の供給を受けると共に、電力線１を介してデータ送信装置２とデータの送受信を行う。
本実施形態のデータ通信システムでは、例えば一対の通信機器４を備え、それぞれの通信機器４がデータ送信装置２及びデータ受信装置３の両方を備えている。
上記通信機器４は、電力線１のコンセント部１ａに接続可能なプラグ部４ａを備えている。このプラグ部４ａを介してデータ送信装置２及びデータ受信装置３が電力線１に接続される。
【００１６】
上記データ受信装置３は、図２に示すように、データ送信装置２からのデータを電力線１を介して受信する受信回路５と、電力線通信の通信周波数帯域内に遮断周波数（カットオフ周波数）を有するハイパスフィルタＨＰＦと、を備えている。このハイパスフィルタＨＰＦは、電力線１と接続する入力側に設けられており、受信回路５は、ハイパスフィルタＨＰＦを介してデータを受信するように電力線１に接続されている。
【００１７】
上記ハイパスフィルタＨＰＦは、１対のコンデンサ６と、１対のコイル７と、で構成されている。一対のコンデンサ６は、一対の電力線１にプラグ部４ａを介して接続された一対の接続線８にそれぞれ設けられ、一対のコイル７は、一対のコンデンサ６の両側で一対の接続線８間に架け渡されて接続されている。
【００１８】
ハイパスフィルタＨＰＦは、遮断周波数（カットオフ周波数）が５ＭＨｚ±１ＭＨｚの範囲内に設定されている。本実施形態では、ハイパスフィルタＨＰＦとして、例えば１８０ｐＦのコンデンサ６と３．９μＨのコイル７とを使用している。このハイパスフィルタＨＰＦによって、上記遮断周波数よりも低周波側では入力信号レベルが減衰する。
【００１９】
次に、上記データ送信装置２の構成について詳述する。
データ送信装置２は、送信回路として、図３に示すように、パイロットトーン送信部２１、チャネル情報受信部２２、送信チャネル設定部２３、データ記憶部２４、データ処理部２５、データ送信部２６を有する。
パイロットトーン送信部２１は、パイロットトーンの周波数を連続的に変化させる機能を有する。すなわち、周波数が連続的に変化するパイロットトーンのデータは、電力線１を介してデータ受信装置３に送信される。
【００２０】
チャネル情報受信部２２は、電力線通信に利用する周波数帯域のうちノッチが存在する周波数帯域のチャネルの情報である「チャネル情報」を、データ受信装置３から電力線１を介して受信する機能を有する。また、チャネル情報受信部２２は、電力線１を介して受信した「チャネル情報」を、送信チャネル設定部２３に対して出力する機能を有する。
送信チャネル設定部２３は、チャネル情報受信部２２から入力される「チャネル情報」に基づいて、データ送信装置２とデータ受信装置３の間で電力線通信を行う際に利用するノッチの存在しない周波数帯域のチャネルを選択する機能を有する。
【００２１】
データ記憶部２４には、データ送信装置２からデータ受信装置３に送信するための音楽データや映像データなどが記憶されている。また、データ記憶部２４からは、データ処理部２５に対して記憶しているデータが出力される。
データ処理部２５は、送信チャネル設定部２３で設定されたチャネルを利用して、ノッチの存在しない周波数帯域に、データ記憶部２４から入力されるデータを分散させて配置する処理を行い、データ送信部２６に対して出力する機能を有する。
データ送信部２６は、データ処理部２５から入力されたデータを、電力線１を介してデータ受信装置３に対して送信する機能を有する。
【００２２】
なお、上述したデータ処理部２５は、図４に示す回路１１を有している。データ処理部２５は、４つのサブチャネル（Ｘ０−Ｙ０、Ｘ１−Ｙ１、Ｘ２−Ｙ２、Ｘ３−Ｙ３）に対して、係数テーブル（図示省略）に記録される係数α、βを乗算し、加減算の処理を繰り返す。以下に、図４に示した回路１１の具体的な処理方法について説明する。
始めに、サブチャネル（Ｘ０−Ｙ０）に中心周波数を乗算した結果から、サブチャネル（Ｘ１−Ｙ１）に中心周波数を乗算した結果を求める。次に、サブチャネル（Ｘ１−Ｙ１）に中心周波数を乗算した結果からサブチャネル（Ｘ２−Ｙ２）に中心周波数を乗算した結果を求める。次に、サブチャネル（Ｘ２−Ｙ２）に中心周波数を乗算した結果からサブチャネル（Ｘ３−Ｙ３）に中心周波数を乗算した結果を求める。
このようにして、データ処理部２５は、再帰的プロセスを用いて送信信号であるマルチチャネル信号Ｚを算出する。
【００２３】
なお、図４において、単位演算部１００は、各サブチャネルをサブチャネル単位で処理するのに必要な乗算器、加算器、減算器の組み合わせから構成される。ここで、処理するサブチャネル数を増加させたい場合は、増加させたい数だけ単位演算部１００を多段接続すればよい。
このように、再帰的プロセスを用いることで、マルチチャネル通信システムにおいて、送信処理するサブチャネル数の変更に合せてハードウェアの構成を変更することが簡便になる。
データ処理部２５を、図４のように構成することにより、ノッチの存在する周波数帯域のサブチャネルについてはデータ送信に使用せず、ノッチの存在しない周波数帯域のサブチャネルにデータを分散させて配置することにより、通信品質の良好な電力線通信を行うことが可能となる。
【００２４】
次に、上記データ受信装置３の構成について詳述する。
データ受信装置３の受信回路５は、図５に示すように、パイロットトーン受信部３１、ノッチ検出部３２、使用チャネル選択部３３、チャネル情報送信部３４、データ受信部３５、データ処理部３６、データ再生部３７を有する。
パイロットトーン受信部３１は、データ送信装置２から電力線１を介して送信されるパイロットトーンのデータを受信し、ノッチ検出部３２に対して出力する機能を有する。
【００２５】
ノッチ検出部３２は、パイロットトーン受信部３１から入力されたパイロットトーンのノッチの状態を調べ、ノッチが存在する周波数帯域の情報を、「ノッチ情報」として検出し、使用チャネル選択部３３に対して出力する機能を有する。
使用チャネル選択部３３は、ノッチ検出部３２から入力された「ノッチ情報」に基づいて、データ送信装置２との間で電力線通信を行う際に利用するノッチが存在しない周波数帯域のチャネルを選択し、「チャネル情報」として電力線１を介してデータ送信装置２に対して送信する機能を有する。また、使用チャネル選択部３３は、データ処理部３５に対して「チャネル情報」を出力する機能を有する。
【００２６】
データ受信部３５は、データ送信装置２から送信される「データ」を電力線１を介して受信し、データ処理部３６に対して出力する機能を有する。
データ処理部３６は、使用チャネル選択部３３から出力される「チャネル情報」に基づいて、データ受信部３５から入力されるノッチの存在しない周波数帯域のチャネルに分散されて配置されていたデータの復元を行い、データ再生部３７に対して出力する機能を有する。
データ再生部３７は、データ処理部３５から入力された「データ」の再生を行う機能を有する。
【００２７】
次に、本実施形態によるデータ通信システムの動作について、図６及び図７を参照して説明する。
【００２８】
始めに、データ送信装置２のパイロットトーン送信部２１は、図６及び図７の（ａ）に示すように、パイロットトーンｐの周波数を連続的にｆ１、ｆ２、ｆ３、ｆ４と変化させながら、電力線１を介してデータ受信装置３に対して送信する（ステップＳ０１）。
なお、ここでは電力線１の周囲に存在する家電製品などの影響により、データ受信装置３が受信する周波数帯域に、図７の（ｂ）に示すようなノッチｎ１、ｎ２が生じている場合について説明する。
【００２９】
データ受信装置３のパイロットトーン受信部３１は、データ送信装置２のパイロットトーン送信部２１から送信されるパイロットトーンを、電力線１を介して受信する（ステップＳ０２）。
この際、ハイパスフィルタＨＰＦを介してパイロットトーンが入力される。このハイパスフィルタＨＰＦによる感度抑圧の低減については、後述する。
【００３０】
次に、データ受信装置３のノッチ検出部３２は、受信したパイロットトーンについて使用する周波数帯域でノッチが存在するか否かを検出する（ステップＳ０３）。
データ送信装置２とデータ受信装置３との間の電力線の通信環境には、図７の（ｂ）に示したようなノッチｎ１、ｎ２が発生しているため、データ受信装置３のパイロットトーン受信部３１が受信するパイロットトーン（図７の（ｃ）参照）にもノッチｎ１、ｎ２に対応する歪みが生じる。
【００３１】
次に、データ受信装置３の使用チャネル選択部３３は、ノッチ検出部３２が検出したノッチが存在する周波数帯域を避けるように、電力線通信で利用するチャネルを選択する（ステップＳ０４）。
そして、データ受信装置３のチャネル情報送信部３４は、使用チャネル選択部３３が選択したノッチが存在しない周波数帯域のチャネルｃ１、ｃ２、ｃ３、ｃ４（図７の（ｄ）参照）を「チャネル情報」として、電力線１を介してデータ送信装置２のチャネル情報受信部２２に対して送信する（ステップＳ０５）。
【００３２】
チャネル情報送信部３４から送信された「チャネル情報」は、データ送信装置２のチャネル情報受信部２２において受信される（ステップＳ０６）。
データ送信装置２の送信チャネル設定部２３は、チャネル情報受信部２２が受信した「チャネル情報」に基づいて、電力線通信の際に利用するノッチの存在しない周波数帯域のチャネルｃ１、ｃ２、ｃ３、ｃ４（図７の（ｄ）参照）を設定する（ステップＳ０７）。
【００３３】
データ送信装置２のデータ処理部２５は、データ記憶部２４に記憶されているデータを、送信チャネル設定部２３で設定したチャネルｃ１、ｃ２、ｃ３、ｃ４を利用して電力線通信を行うように、データを分散させて各チャネルに配置する処理を行う（ステップＳ０８）。
データ送信装置２のデータ送信部２６は、データ処理部２５でノッチの存在しないチャネルに配置されたデータを、電力線１を介して、データ受信装置３のデータ受信部３５に対して送信する（ステップＳ０９）。
【００３４】
データ受信装置３のデータ受信部３５は、データ送信装置２から上記のように適応配置されたマルチキャリア方式でデータを送信された電力線１を介して、受信する（ステップＳ１０）。
この際、ハイパスフィルタＨＰＦを介して複数のチャネルに配置されたデータが受信されるため、遮断周波数よりも低周波側のチャネル信号が減衰されて高周波側のチャネル信号における感度抑圧が低減され、高周波側のチャネル信号も良好に受信される。
【００３５】
例えば図１０の（ａ）に示すように、上記マルチキャリア方式で８個のキャリアにデータを配置してデータ送信装置２から送信されると、図１１の（ａ）に示すように、電力線１の伝送特性において低周波の利得が大きいため、従来のハイパスフィルタＨＰＦを有しないデータ受信装置であると、図１０の（ｂ）に示すように、低周波側の大きな信号により高周波側の信号が感度抑圧され、高周波側の信号が受信できないおそれがある。
【００３６】
しかしながら、本実施形態では、図１１の（ｂ）に示すように、電力線通信の通信周波数帯域内に遮断周波数を有するハイパスフィルタＨＰＦによって、図１０の（ｃ）に示すように、低周波側のチャネル信号が減衰されると共に、高周波側のチャネル信号の感度抑制が低減されて高周波側のチャネル信号を良好に受信可能にする。なお、遮断周波数を５ＭＨｚ±１ＭＨｚの範囲内に設定しているので、家電製品等による低周波側のノイズを効果的に抑制し、特に大きなノイズが発生し易い４５０ｋＨｚ以下の帯域を完全に減衰させることで、さらに感度抑制の低減とノイズ干渉の削減を図ることができる。
【００３７】
次に、データ受信装置３のデータ処理部３５は、データ受信部３５が受信したノッチの存在しないチャネルに配置されたデータの復元を行う（ステップＳ１１）。
データ受信装置３のデータ再生部３７は、データ処理部３６が復元した「データ」の再生を行う（ステップＳ１２）。
【００３８】
なお、従来、電力線１を使用した電力線通信では、漏洩電界や消費電力の関係から、データ送信装置２から出力する電力をあまり大きくできないという問題があった。しかし、上述した本発明の実施形態によるデータ通信システムを使用すれば、ノッチの生じていない周波数帯域のチャネルに、送信するデータを分散させて配置して電力線通信を行うことにしたため、通信に要する消費電力を小さくすることができるとともに、通信品質の良好な状態を保ちながら電力線通信を行うことが可能となる。
また、電力線通信に要する消費電力を小さくすることが可能であるため、電力線１から発生する漏洩電界を小さくすることができる。よって、通信品質がより良好な状態で電力線通信を行うことができる。
【００３９】
特に、音響機器などではオーディオ品質を維持するために、また、映像機器などでは連続して送られてくる画像を表示するために、一定速度以上の通信速度を常に確保しなければならないという問題があるが、本実施形態によるデータ通信システムを利用すれば、そのような問題を解決することができる。
また、全てのマルチチャネルを使用して電力線通信を行うのではなく、ノッチの存在しないチャネルを選択して利用するため、データ送信装置２が消費する電力を低減させることもできる。
【００４０】
なお、上述した実施形態では、図６のステップＳ０３において、ノッチの検出を電力線通信を始める前に一度だけ行う場合について説明したが、これに限定されるものではない。例えば、データ送信装置２とデータ受信装置３の間で電力線通信を行っている間も継続的にノッチの検出を行うようにして、常にノッチの存在しない周波数帯域のチャネルを利用して通信を行うことも可能である。このような構成にすれば、電力線通信を行う際の通信品質を向上させることができる。
【００４１】
また、上述した実施形態では、データ送信装置２のパイロットトーン送信部２１から送信されるパイロットトーンの状態を、データ受信装置３のノッチ検出部３２で調べることにより、ノッチが存在する周波数帯域を検出する場合について説明したが、これに限定されるものではない。
例えば、パイロットトーンの周波数を連続的に変化させるのではなく、通信に使用する全周波数帯域でパイロットトーンを一斉に送信し、そのパイロットトーンをデータ受信装置３で受信してノッチが存在する周波数帯域を検出することにより、ノッチの存在しない周波数帯域を利用した電力線通信を行うことも可能である。
また、データ送信装置２が通信を行う周波数帯域の中から任意のチャネルを選択してパイロットトーンを送信し、データ受信装置３で、そのチャネルの中にノッチが存在することが検出された場合にだけ、別の周波数帯域のチャネルを選択し直して電力線通信を行うようにすることも可能である。
【００４２】
また、上述した実施形態では、４個又は８個のチャネルを使用して電力線通信を行う場合について説明したが、これに限定されるものではなく、任意のチャネル数を使用して電力線通信を行うことが可能である。
【００４３】
上記本実施形態の他の例として、パイロットトーン送信部２１により、予め検出したノッチの存在する周波数帯域を避けて選択した複数のチャネルにパイロットトーンを配置するようにしても構わない。
【００４４】
すなわち、一般に家屋内電力線１の配線は固定されており、複数のオープンスタブ（コンセント）が、家電製品使用時にショートした状態となる。また、通常、家屋内の家電製品は同じものを用いる場合が多く、発生するノッチのパターンは限られている。したがって、データ通信の伝搬特性は、ほぼ数〜数十種類の組み合わせパターンに従い、著しく変動するものではない。
【００４５】
そこで、このデータ通信システムは、使用が想定される複数の家電製品の使用状態を数〜数十パターン変更して予めノッチ検出を行い、数〜数十種類のノッチパターンを記憶しておく。そして、パイロットトーン送信部２１は、図８に示すように、この記憶したノッチパターンを避けてＡ〜Ｂのチャネルの配置パターンを設定し、これらの配置パターンの各チャネルにパイロットパターンを配置して送信する。なお、使用時においてノッチ検出を行う度に得られた別のノッチパターンを逐次記憶させて、パイロットパターンを配置するチャネルのパターンを変更しても構わない。
【００４６】
すなわち、予め検出したノッチパターンを避けて選択したチャネルのパターンに従ってパイロットトーンを送信することで、通信に使用する周波数帯域全体をパイロットトーンでスイープする場合に比べて、短時間でノッチの検出を行うことができる。したがって、この例によれば、ノッチパターンが大きく変動することが少ない家屋等におけるデータ通信に好適である。
【００４７】
また、使用チャネル選択部３３により、複数のチャネルのうちノッチ検出部３２が検出したノッチの存在する周波数帯域のチャネルのみをノッチの存在しない周波数帯域に変更しても構わない。すなわち、上記本実施形態では、家電製品等が追加接続された際にノッチが生じると、チャネル全体を変更することで、ノッチを回避しているのに対し、この例では、ノッチにより劣化したデータ（キャリア）のチャネルのみをノッチのない周波数帯域に逐次ダイナミックに変更する。
【００４８】
例えば、送信チャネル設定部２３は、チャネル情報受信部２２が受信した「チャネル情報」に基づいて、図９に示すように、チャネルｃ２１、ｃ２２ａ、ｃ２３、ｃ２４、ｃ２５、ｃ２６、ｃ２７、ｃ２８を設定した場合について以下に説明する。
【００４９】
この場合、データ処理部２５では、データを上記各チャネルに分散させて配置処理し、データ送信部２６が電力線１を介して送信を行う。
このとき、家電製品が電力線１に追加接続され、チャネルｃ２２ａの周波数帯域にノッチが発生し、チャネルｃ２２ａに配置されたデータ（キャリア）が劣化したとすると、パイロットトーンの受信結果からノッチ検出部３２がこのノッチを検出する。さらに、使用チャネル情報送信部３３は、ノッチが存在する周波数帯域のチャネルｃ２２ａを避けるようにチャネルｃ２２ａに配置したデータ（キャリア）のみを別の周波数帯域のチャネルｃ２２ｂに配置し直す。
【００５０】
したがって、この例では、ノッチが生じた際にチャネル全体を変更する場合に比べて、劣化したデータ（キャリア）に該当するチャネルのみをノッチの存在しない周波数帯域のチャネルにダイナミックに変更することで、家電製品の追加接続等で生じたノッチのパターン変化に対応しやすく、オーディオ等のリアルタイムアプリケーションにより好適である。
【００５１】
このように本実施形態では、上記適応配置されたマルチキャリア方式において、電力線通信の通信周波数帯域内に遮断周波数を有するハイパスフィルタＨＰＦを介してデータを受信するので、遮断周波数以下の低周波側においてハイパスフィルタＨＰＦが信号レベルを減衰させ、利得の大きい低周波側のキャリアで信号レベルが抑制されると共に、より低周波で発生するノイズも抑制又はカットされる。これにより、高周波側で生じる感度抑圧が低減されると共に、家電製品等によるノイズの干渉が削減される。
【００５２】
なお、本発明の技術範囲は上記実施形態に限定されるものではなく、本発明の趣旨を逸脱しない範囲において種々の変更を加えることが可能である。
例えば、上記実施形態では、ノッチを検出してノッチの存在しない周波数帯域を利用した電力線通信を行うが、ノッチでなくノイズを同様に検出してノイズの存在しない周波数帯域を利用して同様に電力線通信を行っても構わない。
【００５３】
また、上記データ送信装置２及びデータ受信装置３をモジュール化して組込型の電力線通信モジュール４０とした場合など、図１２に示すように、ＡＣ出力部４５にコモンモードチョーク４１を設けることが好ましい。すなわち、ＡＣ／ＤＣ電源４２に接続されるＡＣ出力部４５と上記データ送信装置２及びデータ受信装置３からなる通信モジュール部４６との間にコモンモードチョーク４１を設ける。なお、通信モジュール部４６は、ＡＣ／ＤＣ電源４２からＤＣ線４４を介して電力供給を受けている。
【００５４】
上記のコモンモードチョーク４１を設けていない組込型の電力線通信モジュールでは、ＡＣ／ＤＣ電源４２におけるスイッチングノイズがＡＣ線４３に漏れることから、受信品質が劣化するおそれがあり、通信信号が組み込み装置を迂回して干渉してしまう不都合がある。
しかしながら、本実施形態の例では、ＡＣ出力部４５にコモンモードチョーク４１を備えることにより、ＡＣ／ＤＣ電源４２や組み込み装置で生じたノイズによる受信品質の劣化を低減することができ、組み込み装置を迂回するノイズ干渉を低減することができる。
また、これにより、組み込み装置からの漏洩電界も低減させることが可能になる。なお、この場合、種々の電流容量を有するフェライトコアのコモンモードチョーク４１を複数内蔵、設置することで、接続する家電製品等の消費電力に応じて接続するコモンモードチョーク４１を切替可能にしても構わない。
【図面の簡単な説明】
【００５５】
【図１】本発明に係る一実施形態のデータ通信システム及びデータ受信装置において、データ通信システムを示す全体構成図である。
【図２】本実施形態において、ハイパスフィルタの回路及び通信機器を示す構成図である。
【図３】本実施形態のデータ送信装置の構成を示すブロック図である。
【図４】本実施形態のデータ演算処理を行う回路の回路図である。
【図５】本実施形態のデータ受信装置の構成を示すブロック図である。
【図６】本実施形態によるデータ通信システムの処理の流れを示すシーケンス図である。
【図７】本実施形態によるデータ通信を行う際のデータの波形を示した図である。
【図８】本実施形態の他の例によるデータ通信を行う際のパイロットトーンの波形組み合わせを示した図である。
【図９】本実施形態の他の例によるデータ通信を行う際の劣化キャリアに該当するチャネルの配置変更を表した図である。
【図１０】本実施形態によるデータ通信を行う際の送信信号、従来の受信信号、及び本発明での受信信号の場合で、データの波形を示した図である。
【図１１】本実施形態において、電力線の伝送特性及びハイパスフィルタのフィルタ特性を示す概略的なグラフである。
【図１２】本実施形態において、データ送信装置及びデータ受信装置をモジュール化した際に、コモンモードチョークを設けた場合を示す概略的な構成図である。
【符号の説明】
【００５６】
１…電力線、２…データ送信装置、３…データ受信装置、４…通信機器、４０…電力線通信モジュール、４１…コモンモードチョーク、ｃ１、ｃ２、ｃ３、ｃ４、ｃ２１、ｃ２２ａ、ｃ２３、ｃ２４、ｃ２５、ｃ２６、ｃ２７、ｃ２８…チャネル
【図１】
2007235419.tif 000003
【図２】
2007235419.tif 000004
【図３】
2007235419.tif 000005
【図４】
2007235419.tif 000006
【図５】
2007235419.tif 000007
【図６】
2007235419.tif 000008
【図７】
2007235419.tif 000009
【図８】
2007235419.tif 000010
【図９】
2007235419.tif 000011
【図１０】
2007235419.tif 000012
【図１１】
2007235419.tif 000013
【図１２】
2007235419.tif 000014